(57)【特許請求の範囲】
【請求項１】
両端に設けた取付け金具を用いて仮設足場の脚柱間に起立状態で配置する幅木本体と、前記幅木本体と別部材で、幅木本体と仮設足場に敷設した床材の間に配置する水平部材の組み合わせからなり、前記幅木本体に対して水平部材を着脱金具で分離可能に取付けるようにした仮設足場用幅木において、
上記幅木本体は、横長となる垂直板の下縁に、仮設足場に敷設した床材側に向けて屈曲する水平部材の受け部を設けて形成され、前記水平部材は、横長となる水平板の前記受け部で支持される側の側縁に上方に屈曲する起立板を設けて形成され、上記着脱金具が、対向する前記垂直板と起立板の何れか一方の少なくとも一箇所に設けた抜け止めピンと他方に設けたピン挿通孔で形成されていることを特徴とする仮設足場用幅木。
【請求項２】
上記取付け金具は、幅木本体の両端部上面に固定され、仮設足場の脚柱に対して床材側から外嵌するフックと、前記幅木本体の垂直板に上下動と水平方向の回転とが可能となるよう取付けられ、仮設足場の脚柱に対して前記フックと反対側の面に係脱させる回転ピンとで形成されている請求項１に記載の仮設足場用幅木。
【発明の詳細な説明】
【技術分野】
【０００１】
この発明は、建築現場等に構築される仮設足場に取付ける仮設足場用幅木、更に詳しくは、仮設足場における脚柱と床材の条件に対して広範に対応することができると同時に、軽量で嵩張らないので現場への搬入搬出が容易に行える仮設足場用幅木に関する。
【背景技術】
【０００２】
建築現場に構築する仮設足場として知られている枠組み足場やくさび緊結式足場は、腕木材（水平材）間に敷設した床材によって作業床を形成し、この作業床上で各種作業を行うものであるが、前記仮設足場からの墜落事故の防止措置として、各階の作業床において、床材と脚柱の間の隙間をつくらないように幅木を設置することが指導されている。
【０００３】
従来の仮設足場用幅木として知られている、長い板状の幅木を仮設足場の脚柱間に起立状態で配置するＩ型タイプ（例えば、特許文献１参照）は、床材と脚柱の間の隙間を埋めるのに十分でないため、垂直板と水平板を一枚の金属板から折り曲げることで形成され、垂直板の両端を取付け金具で仮設足場の脚柱間に起立状態で配置し、水平板を床材の上に重ねることで床材と脚柱の間の隙間を塞ぐようにしたＬ型一体タイプ（例えば、特許文献２や３）の幅木が提案されている。
【先行技術文献】
【特許文献】
【０００４】
【特許文献１】特開２００６−１６９９０２号公報
【特許文献２】特開２００８−５０９３９号公報
【特許文献３】特開２００４−１５６３９６号公報
【発明の概要】
【発明が解決しようとする課題】
【０００５】
ところで、Ｌ型一体タイプの仮設足場用幅木は、価格的に安価であるが、重量的に重く嵩張るために建築現場への搬入搬出時の持ち運びがしづらいという問題がある。
【０００６】
また、Ｌ型一体タイプの嵩張り問題を解消するため、垂直板と水平板を分割し、垂直板に対して水平板を起伏動可能に枢着することで、Ｌ型折り畳みタイプにすることも考えられるが、持ち運び時の重量の問題は解決できないだけでなく、枢止機構の採用が構造的に複雑となり、コストアップにつながることになる。
【０００７】
そこで、この発明の課題は、幅木本体と水平部材に分離独立させ、幅木本体を単独使用可能とすることで、仮設足場における脚柱と床材の条件に対して広範に対応することができ、しかも、分離により幅木本体と水平部材を単体とすることで軽量化が図れ、嵩張らないので現場への搬入搬出が容易に行える仮設足場用幅木を提供することにある。
【課題を解決するための手段】
【０００８】
上記のような課題を解決するため、この発明は、両端に設けた取付け金具を用いて仮設足場の脚柱間に起立状態で配置する幅木本体と、前記幅木本体と別部材で、幅木本体と仮設足場に敷設した床材の間に配置する水平部材の組み合わせからなり、前記幅木本体に対して水平部材を着脱金具で分離可能に取付けるようにしたものである。
【０００９】
上記幅木本体は、横長となる垂直板の下縁に、仮設足場に敷設した床材側に向けて屈曲する水平部材の受け部を設けて形成され、前記水平部材は、横長となる水平板の前記受け部で支持される側の側縁に上方に屈曲する起立板を設けて形成され、上記着脱金具が、対向する前記垂直板と起立板の何れか一方に設けた抜け止めピンと他方に設けたピン挿通孔で形成されているようにすることができる。
【００１０】
上記取付け金具は、幅木本体の両端部上面に固定され、仮設足場の脚柱に対して床材側から外嵌するフックと、前記幅木本体の垂直板に上下動と水平方向の回転とが可能となるよう取付けられ、仮設足場の脚柱に対して前記フックと反対側の面に係脱させる回転ピンとで形成されているようにすることができる。
【００１１】
ここで、上記幅木本体は、仮設足場の脚柱スパン間に納まる長さの金属板を用い、垂直板の下縁に直角に屈曲する受け部と、上縁に前記受け部と反対方向に折れ曲がる補強折り曲げ部を設けた断面形状を有し、また、水平部材は、水平板と起立板が前記幅木本体と同様の長さを有し、起立板の上端に垂直板への当接片を折り曲げた断面形状になっている。
【００１２】
上記着脱金具である抜け止めピンは、ブレースピンを用い、水平部材における起立板の長さ方向中央位置に、水平板と反対方向に突出するよう水平に固定され、幅木本体における垂直板の長さ方向中央位置にピン挿通孔が設けられ、ピン挿通孔に対する抜け止めピンの抜き差しにより、幅木本体に対して水平部材の取付け、取り外しが行えることになる。
【００１３】
上記取付け金具のフックは、上下に長い取付け板の上端に水平状態で固定され、前記取付け板を幅木本体の垂直板に対して端部で受け部側の面に重ねて固定することにより、幅木本体の端部上面に配置され、幅木本体の端部において、フックの高さ位置を異なるようにすることで、幅木本体を並べて取付けたときに、端部隣接するフックの干渉を逃がすようにしている。
【００１４】
また、回転ピンは、円軸材を用い、垂直軸の上端に水平方向の係止軸を直角に折り曲げて形成され、幅木本体の垂直板に対して上記フックと反対側の面に固定した支持金物で回転と上下動が可能となるよう保持されている。
【００１５】
この支持金物は、幅木本体の垂直板に固定する基板の上下に折り曲げ板と中間に係止板を設け、上部折り曲げ板に設けた切欠きから係止板及び下部折り曲げ板に設けた孔に回転ピンの円軸材を挿通することにより、係止板で係止軸を受けることで回転ピンを下降位置に保持し、この回転ピンは上部折り曲げ板と係止板間で上下動可能となり、係止板の先端に立設した係止片と係止軸で回転ピンの回動が規制され、回転ピンの上下動と回動を操作することにより、係止軸を、仮設足場の脚柱に対して上記フックと反対側の面に係止させた状態と、脚柱から離反させた状態に選択することができるようになっている。
【発明の効果】
【００１６】
この発明によると、幅木本体と水平部材を別部材としたので、幅木本体と水平部材は分離により単体とすることで軽量化が図れ、嵩張らないので現場への搬入搬出が容易に行える。
【００１７】
また、仮設足場における脚柱と床材の間隔が狭いと水平部材が不要の場合があり、この場合は、幅木本体を単独使用することが可能となり、仮設足場における脚柱と床材の条件に対して広範に対応することができ、幅木本体の単独使用を可能とすることで、幅木としてのトータル的なコストの削減が可能になる。
【００１８】
更に、幅木本体と水平部材の結合に抜け止めピンの差込方式を用いることにより、現場で幅木本体と水平部材を容易に着脱できることになる。
【図面の簡単な説明】
【００１９】
【図１】（ａ）はこの発明に係る仮設足場用幅木の仮設足場への取付け状態を示す一部切欠き平面図、（ｂ）は同一部切欠き正面図
【図２】仮設足場用幅木の仮設足場への取付け途中の水平部材分離状態を示す拡大した縦断側面図
【図３】（ａ）は仮設足場用幅木の幅木本体と取付け金具の構造を示す分解斜視図、（ｂ）は回転ピンと支持金物の反対側から見た分解斜視図
【図４】（ａ）は仮設足場用幅木の幅木本体と水平部材を示す分解斜視図、（ｂ）は幅木本体と水平部材の結合状態を示す拡大した縦断側面図
【図５】（ａ）はこの発明に係る仮設足場用幅木の仮設足場への取付け状態を示す両端取付け金具の部分を拡大した平面図、（ｂ）は同正面図、（ｃ）は同左側側面図、（ｄ）は同右側側面図
【図６】（ａ）はこの発明に係る仮設足場用幅木の仮設足場への取付け状態を示す取付け金具における回転ピンの部分を拡大した正面図、（ｂ）は同側面図、（ｃ）は同平面図
【図７】この発明に係る仮設足場用幅木の仮設足場への取付け状態を示す両端取付け金具における回転ピンの操作手順を示し、（ａ）は回転ピンを解除状態にした平面図と正面図、（ｂ）は回転ピンを持ち上げた状態にした平面図と正面図、（ｃ）は持ち上げた回転ピンを脚柱に当接させた状態の平面図と正面図、（ｄ）は脚柱に当接させた回転ピンを下降させて係止状態とした平面図と正面図
【図８】この発明に係る仮設足場用幅木の仮設足場に対する取付け状態の異なる例を示し、（ａ）は作業床の片側に幅木本体を単独で取付けた状態の平面図、（ｂ）は作業床の片側に幅木本体と水平部材を取付けた状態の平面図、（ｃ）は作業床の両側に幅木本体を単独で取付けた状態の平面図、（ｄ）は作業床の片側に幅木本体を単独で取付け、もう一方の片側に幅木本体と水平部材を取付けた状態の平面図
【発明を実施するための形態】
【００２０】
以下、この発明の実施の形態を添付画面に基づいて説明する。
【００２１】
この発明の仮設足場用幅木１は、図１乃至図４のように、仮設足場の脚柱２間に起立状態で固定配置する幅木本体３と、この幅木本体３と別部材で、幅木本体３と仮設足場の腕木材４間に敷設した床材５の間に配置する水平部材６の組み合わせからなり、前記幅木本体３の両端部に脚柱２への取付け金具７が設けられ、前記幅木本体３に対して水平部材６は着脱金具８で分離可能に取付けるようになっている。
【００２２】
上記幅木本体３は、脚柱２のスパン間に納まる長さの金属板を用い、横長で所定の高さ寸法を有する垂直板３ａの下縁に、仮設足場に敷設した床材５側に向けて直角に屈曲する水平の受け部３ｂと、垂直板３ａの上縁に、受け部３ｂと反対側に屈曲する補強折り曲げ部３ｃを設けた断面形状を有している。
【００２３】
また、上記水平部材６は、幅木本体３と同様の長さを有する金属板を用い、仮設足場に敷設した床材５と上記幅木本体３の受け部３ｂの間に載置する水平板６ａと、この水平板６ａの幅木本体３側に位置する側縁から直角に起立する低い高さの起立板６ｂと、前記起立板６ｂの上端に垂直板３ａへの当接片６ｃを折り曲げ形成した断面形状に形成され、水平板６ａには滑り止め加工が施されている。
【００２４】
上記幅木本体３に対して水平部材６を着脱可能に結合する上記着脱金具８は、水平部材６における起立板６ｂの長さ方向中央位置に、水平板６ａと反対方向に突出するよう水平に固定された抜け止めピン８ａと、幅木本体３における垂直板３ａの長さ方向中央位置に設けたピン挿通孔８ｂで形成され、幅木本体３の受け部３ｂに水平部材６の水平板６ａを載置した状態で、ピン挿通孔８ｂに対する抜け止めピン８ａの抜き差しにより、幅木本体３に対して水平部材６の取付け、取り外しが行えるようになっている。
【００２５】
なお、上記抜け止めピン８ａには、周知のブレースピンを用いており、ピン挿通孔８ｂに対して差し込むだけで結合状態が得られることになる。
【００２６】
上記取付け金具７は、図１乃至図３に示すように、幅木本体３の両端部上面に左右対称状の配置で固定され、仮設足場の脚柱２に対して床材側から外嵌する平面Ｕ字形のフック９と、前記幅木本体３の垂直板３ａに上下動と水平方向の回転とが可能となるよう取付けられ、仮設足場の脚柱２に対して前記フック９と反対側の面に係脱させる回転ピン１０とで形成されている。
【００２７】
上記取付け金具７のフック９は、上下に長い取付け板１１の上端屈曲片１１ａの上に水平状態で固定され、前記取付け板１１をカシメ鋲１２で幅木本体３の垂直板３ａに対して端部で受け部３ｂ側の面に重ねて固定することにより、幅木本体３の端部上面に配置され、補強折り曲げ部３ｃよりも受け部３ｂと反対側に突出している。なお、取付け板１１の下端はＬ形に屈曲し、図５（ｂ）のように、仮設足場の脚柱２間に幅木本体３を起立状態で配置したとき、腕木材４の上に当接する当り部１１ｂになっている。
【００２８】
幅木本体３の両端部に固定するフック９は、図３（ａ）のように、フック９の高さ位置を異なるようにすることで、幅木本体３を並べて取付けたときに、隣接する幅木本体３のフック９が互いに干渉することのないようにしていると共に、各フック９は図３（ａ）のように二又部分の内側片９ａを少し長く延長させ、仮設足場の脚柱２に対する嵌め込み作業が円滑に行えるようにしてもよい。また、図示省略したが、フック９の途中で取付け部分から先を板厚分だけ上に折り曲げ、幅木本体３を重ねて梱包した場合に、フック９が干渉しないようにすることができる。
【００２９】
上記回転ピン１０は、円軸材を用い、垂直軸１０ａの上端に水平方向の係止軸１０ｂを直角に折り曲げ、この係止軸１０ｂの先端を水平方向の屈曲部１０ｃとした構造を有し、幅木本体３の両端部位置に、垂直板３ａに対して上記受け部３ｂと反対側の面に固定した支持金物１３で回転と上下動が可能となるよう保持されている。
【００３０】
この支持金物１３は、図３と図６のように、幅木本体３の垂直板３ａに上記カシメ鋲１２で固定する矩形状の取付け基板１４が、垂直板３ａと反対側に水平状態で突出する上下端の折り曲げ板１５、１６と中間位置の係止板１７を有し、上記回転ピン１０の垂直軸１０ａを上から挿通するため、上部折り曲げ板１５に切欠き１８と、係止板１７及び下部折り曲げ板１６に挿通孔１９、２０が上下同軸心の配置で設けられている。
【００３１】
上記回転ピン１０は、その垂直軸１０ａを切欠き１８から係止板１７及び下部折り曲げ板１６の挿通孔１９と２０に挿通することにより、係止板１７上で係止軸１０ｂが受けられ、回転ピン１０は係止板１７で下降位置に保持された状態で上部折り曲げ板１５と係止板１７間を上下動可能となり、かつ、垂直軸１０ａを中心に回転可能となる。
【００３２】
上記係止板１７の先端に係止片１７ａが立設され、この係止片１７ａと係止軸１０ｂで下降にある位置回転ピン１０の回動が規制され、回転ピン１０の上下動と回動を操作することにより、係止軸１０ｂが仮設足場の脚柱２に対して前記フック９と反対側の面に係合する係止状態と、係止軸１０ｂが幅木本体３の垂直板３ａに重なる解除状態に変化させることができるようになっている。
【００３３】
図７（ａ）乃至図（ｄ）は、回転ピン１０の解除状態から係止状態に変化させる手順を示し、解除状態は、図７（ａ）のように、回転ピン１０の係止軸１０ｂが取付け基板１４と係止片１７ａの間に納まって係止板１７で支持され、この係止軸１０ｂが垂直板３ａに沿うように納まり、仮設足場の脚柱２に対してフック９の係脱が自在となる。なお、図７（ａ）乃至図（ｄ）は、幅木本体３を受け部３ｂと反対側から見た状態を正面図とし、これに合わせて平面図を設定している。
【００３４】
上記の解除状態で係止軸１０ｂを仮設足場の脚柱２に対して係止するには、仮設足場の脚柱２に対して幅木本体３のフック９を外嵌し、脚柱２間に幅木本体３を起立状態で配置して当り部１１ｂを腕木材４の上に当接させた状態で、先ず、図７（ｂ）のように、回転ピン１０の係止軸１０ｂが係止片１７ａの上端よりも高い位置になるように持ち上げて係止片１７ａに対する係合を解き、次に、図７（ｃ）のように、持ち上げた回転ピン１０の係止軸１０ｂを脚柱２側に回動させ、係止軸１０ｂの先端屈曲部１０ｃを脚柱２に対してフック９と反対側の外面に当接させる。
【００３５】
この後、図７（ｄ）のように、係止軸１０ｂが脚柱２に当接した状態で回転ピン１０を下降させると、係止軸１０ｂは係止板１７の上に載って係止片１７ａに係合することで、脚柱２に対して離反方向に回動しないように保持され、これにより、脚柱２を半径方向の両側からフック９と係止軸１０ｂで挟み、幅木本体３の端部を脚柱２に対して固定することができる。
【００３６】
なお、脚柱２から幅木本体３を取外す場合は、上記回転ピン１０を幅木本体３の取付け時と反対の順序で操作すればよく、図７（ａ）の解除状態にすれば脚柱２からフック９を外すことができる。
【００３７】
この発明の仮設足場用幅木１は、上記のような構成であり、建築現場に構築した枠組み足場やくさび緊結式足場等の架設足場において、床材５の敷設によって形成された作業床に対して幅木１を設置するには、幅木本体３と水平部材６を別梱包にして搬入し、作業床の上面における脚柱２間に仮設足場用幅木１を取付ける。
【００３８】
仮設足場用幅木１の取付けにおいて、幅木１を作業床の両側に取付ける場合と建物と反対側の片側に取付ける場合があり、また、架設足場の腕木材４間に架設した床材５と脚柱２の間に生じる隙間の条件が異なる場合があり、幅木本体３の単独使用及び幅木本体３と水平部材６の組合わせ使用のパターンが選択される。
【００３９】
図８（ａ）と（ｂ）は、幅木を作業床の建物と反対側の片側に取付ける場合の例を示し、床材５と脚柱２の間に生じた隙間が狭いときは図８（ａ）のように、幅木本体３のみの単独使用とし、隙間が広いときは図８（ｂ）のように、幅木本体３と水平部材６の組合わせ使用とする。
【００４０】
作業床の上面で隣接する脚柱２の間に幅木本体３を取付けるには、両端に設けた取付け金具７の回転ピン１０を、図７（ａ）で示した解除状態にしておき、作業床側に位置させた幅木本体３の両端フック９を脚柱２に外嵌し、取付け板１１の下端当り部１１ｂを腕木材４の上に当接させる。
【００４１】
この状態で、両端に位置する取付け金具７の回転ピン１０を、図７（ｂ）乃至（ｄ）で示した手順に従って持ち上げ、回動、下降させることにより、係止軸１０ｂの先端屈曲部１０ｃを脚柱２に対してフック９と反対側の面に当接させ状態を保持し、これにより、脚柱２を半径方向の両側からフック９と係止軸１０ｂで挟み、幅木本体３の両端部を脚柱２に対して固定する。
【００４２】
図８（ａ）のように、上記幅木本体３は、作業床の建物と反対側に垂直板３ａが起立し、この垂直板３ａの下端に設けた受け部３ｂが床材５の上に載り、作業床の床材５と脚柱２の間に生じた隙間をなくし、作業者の安全を確保する。
【００４３】
また、図８（ｂ）のように、床材５と脚柱２の間に生じた隙間が広いときは、上述したように脚柱２間に幅木本体３を取付けた後、水平部材６を幅木本体３の受け部３ｂと床材５の間に載置し、水平部材６に設けた抜け止めピン８ａを垂直板３ａのピン挿通孔８ｂに差込み、幅木本体３に水平部材６を固定すれば、作業床の床材５と脚柱２の間に生じた隙間をなくすことができる。
【００４４】
次に、図８（ｃ）は、作業床の両側に幅木本体３を取付け、図８（ｄ）は、作業床の両側における一方に幅木本体３だけを取付け、他方に幅木本体３と水平部材６を組合わせて取付けた例を示している。
【００４５】
何れにおいても、脚柱２間に対する幅木本体３の取付けは、脚柱２にフック９を外嵌して取付け金具７の回転ピン１０を操作するだけであるので、脚柱２間に対する幅木本体３の取付け取り外しが簡単に能率よく行え、幅木本体３の単独使用及び幅木本体３と水平部材６の組み合わせが選択できるので、仮設足場における脚柱２と床材５の隙間条件に対して広範に対応することができる。
【符号の説明】
【００４６】
１          仮設足場用幅木
２          脚柱
３          幅木本体
４          腕木材
５          床材
６          水平部材
７          取付け金具
８          着脱金具
９          フック
１０        回転ピン
１１        取付け板
１２        カシメ鋲
１３        支持金物
１４        取付け基板
１５        上部折り曲げ板
１６        下部折り曲げ板
１７        係止板
１７ａ      係止片
１８        切欠き
１９        挿通孔
２０        挿通孔
【図１】
0005517296.tif 000002
【図２】
0005517296.tif 000003
【図３】
0005517296.tif 000004
【図４】
0005517296.tif 000005
【図５】
0005517296.tif 000006
【図６】
0005517296.tif 000007
【図７】
0005517296.tif 000008
【図８】
0005517296.tif 000009